(57)【要約】【課題】装置本体とライト部分とを着脱自在にすることで、夜間等でもペットの散歩が不自由なく安心して行え、しかもライトを単独で使用できるとともに、ライトや装置本体が故障した場合でも容易に交換可能で、また、ライト部分や装置本体の改良にも好適に対応することができるペットの引き紐装置を提供する。【解決手段】所定長さの紐体２の先端にペットに装着された被係止部材に係脱自在な係止部材が設けられ、この紐体２が装置本体１ａに内蔵されたリールから繰出し自在に且つリールに巻き取り自在に設けられたペットの引き紐装置１において、装置本体１ａには、発光ダイオード３１を備えた照明具３が当該装置本体１ａに着脱自在に設けられている。装置本体１ａには、使用者が把持したり被掛止部材に掛止め可能なストラップ６が設けられている。紐体２には、光を反射する反射部材が組み込まれている。【選択図】  図１
2007151487.tif 000002
【特許請求の範囲】
【請求項１】
所定長さの紐体の先端にペットに装着された被係止部材に係脱自在な係止部材が設けられ、この紐体が装置本体に内蔵されたリールから繰出し自在に且つリールに巻き取り自在に設けられたペットの引き紐装置において、
上記装置本体には、発光ダイオードを備えた照明具が当該装置本体に着脱自在に設けられたことを特徴とするペットの引き紐装置。
【請求項２】
前記装置本体には、使用者が把持したり被掛止部材に掛止め可能なストラップが設けられたことを特徴とする請求項１記載のペットの引き紐装置。
【請求項３】
前記紐体には、光を反射する反射部材が組み込まれていることを特徴とする請求項１又は２記載のペットの引き紐装置。
【発明の詳細な説明】
【技術分野】
【０００１】
本発明は、犬、猫などのペットの散歩等に用いるペットの引き紐装置に関するものである。
【背景技術】
【０００２】
従来、犬などのペットを散歩させるには、ロープや鎖等の紐体の一端部をペットの首輪等へ結び、その他端部を飼い主などが手に持つようにしている。この種の引き紐装置としては、単に紐体の他端部に把持部分を設けたにすぎないものから、リールを用いて紐体を巻取可能にするものまで種々のものがあり、リール式のものにあっては紐体の長さを調節できるという利点があった。
【０００３】
また、ペットの散歩を夜間に行う場合も多く、このような場合には周囲が暗く糞の所在が分かりにくいため、暗い場所でも糞処理などを円滑に出来るように装置本体にライトを一体的に設けたペットの引き紐装置も提供されていた（例えば、特許文献１参照。）。
【特許文献１】実用新案登録第３０１３７４７号公報
【発明の開示】
【発明が解決しようとする課題】
【０００４】
しかしながら、上記従来のように装置本体に一体にライトを設けているものでは、仮にライトが破損した場合にはライトを取り替えることができないので、この状態で使用すれば夜間でのペットの散歩や糞処理などに支障を来すことになる。また、逆に装置本体側が破損した場合にはこの破損した装置本体側と共にライトを使用しなければならない。
【０００５】
本発明は、上記問題点に鑑みてなされたもので、その目的とするところは、装置本体とライト部分とを着脱自在にすることで、夜間等でもペットの散歩が不自由なく安心して行え、しかもライトを単独で使用できるとともに、ライトや装置本体が故障した場合でも容易に交換可能で、また、ライト部分や装置本体の改良にも好適に対応することができるペットの引き紐装置を提供することにある。
【課題を解決するための手段】
【０００６】
上記の目的を達成するため、請求項１に係る発明のペットの引き紐装置は、所定長さの紐体の先端にペットに装着された被係止部材に係脱自在な係止部材が設けられ、この紐体が装置本体に内蔵されたリールから繰出し自在に且つリールに巻き取り自在に設けられたペットの引き紐装置において、上記装置本体には、発光ダイオードを備えた照明具が当該装置本体に着脱自在に設けられたものである。
【０００７】
請求項２に係る発明のペットの引き紐装置は、前記装置本体に、使用者が把持したり被掛止部材に掛止め可能なストラップが設けられたものである。
【０００８】
請求項３に係る発明のペットの引き紐装置は、前記紐体に、光を反射する反射部材が組み込まれている。
【発明の効果】
【０００９】
本発明によれば、照明具を装置本体に着脱自在に設けたことにより、装置本体から照明具を分離することで犬などペットの夜の散歩時において犬などの他にその状況に応じて必要な部分を単独で照らすことができて使い勝手がよい。さらに、装置本体もしくは照明具のいずれかが破損した場合や、両者のいずれかを改良等した場合に、いずれか一方を取り替えればよく汎用性を高めることができる。
【発明を実施するための最良の形態】
【００１０】
以下、本発明の実施の形態について図面を参照して説明する。
【００１１】
図１は、本発明に係るペットの引き紐装置１を示している。
【００１２】
この引き紐装置１は、所定長さの紐体２が装置本体１ａに内蔵された図示しないリールに巻回されており、このリールから紐体２が繰出し自在に且つリールに巻き取り自在に設けられるとともに、装置本体１ａに照明具としてのライト装置３が設けられてなるものである。
【００１３】
上記紐体２は、例えば繊維製、樹脂製や金属製等のロープなどを用いており、その先端に犬や猫などのペットの首輪（被係止部材）等に係脱自在な係止部材としてのフック具が設けられている。
【００１４】
この紐体２には、図３に示すように光に反射する反射部材（蛍光部材も含む）２１が当該紐体２と一体に組み込まれており、この反射部材２１によって犬などの夜の散歩時において暗闇でもこの引き紐装置１を持つ者（飼い主など）や他人に紐体２の存在場所を認識させることができ、安全性を高めることができる。
【００１５】
また、装置本体１ａには、前記紐体２の出入口１ｂと反対側に把持部４が設けられている。把持部４は、この引き紐装置１を持つ者が手で持ったときに滑りにくく握り易く且つ長時間でも疲れにくいように、また意匠的な面も考慮してその部位を滑らかな湾曲形状に形成しており、例えば合成ゴムなどのエラストマー物質を用いている。
【００１６】
さらに、上記把持部４側となる装置本体１ａの上面には、操作ボタン５が設けられている。この操作ボタン５は、紐体２の繰出し動作を規制するためのもので、当該操作ボタン５を押すと紐体２の繰出し動作にブレーキがかかり装置本体１ａからの紐体２の繰出しを阻止するようにしており、この状態で操作ボタン５を図示しない適宜な保持手段（例えば操作ボタン５をスライドさせることなど）によって保持することができる。また、保持を解除して操作ボタン５から指を離すことでスプリングなどの付勢部材によって操作ボタン５が元の状態に復帰し、これによって上述した紐体２の繰出し動作のブレーキを解除するようにしている。
【００１７】
そして、紐体２自体は、図示しないゼンマイ等によってリールに巻き取られるようになされており、紐体２の繰出し阻止を解除している状態で犬などが装置本体１ａ側に近づくとこの近づいた分だけ紐体２をリールに巻き取ることで、当該紐体２が不用意に弛まないようになっている。
【００１８】
また、装置本体１ａの把持部４の下部には、ストラップ６が設けられている。このストラップ６は環状に形成された状態で装置本体１ａに固着されており、例えばストラップ６に使用者の腕を通して把持部４を握るようにすると、把持部４を離した場合でも引き紐装置１の落下を防止でき、また、ストラップ６を洋服の一部や周辺の物（被掛止部材）に引っ掛けたり、又は手首や腕に通しておくことで両手が自由になり、これによって糞の処理等を両手で円滑に行うことができる。このため、ストラップ６には摩擦や汚れに強い例えばナイロン製のものを使用している。
【００１９】
一方、前記ライト装置３は、その本体３ａ自体が図２に示すように装置本体１ａと着脱自在に設けられている。具体的には、装置本体１ａにはライト装置３に応じた形状の装着凹部１ｃ（図２参照）が形成されており、当該ライト装置３をこの装着凹部１ｃに装着して図示しないネジ部材などにより両者を一体的に固定するとともに、そのネジ部材を取り外すことによって装置本体１ａからライト装置３を容易に分離させることができるようにしている。
【００２０】
なお、ライト装置３は、装着凹部１ｃに対してワンタッチでカチッと着脱できるようにしておくことが望ましい。
【００２１】
このライト装置３内には発光ダイオード（ＬＥＤ）３１が設けられており、本体３ａの表面に配置された透明板３２を通じて上記発光ダイオード３１から発する光を外部に照射するようにしている。このように設けられた発光ダイオード３１は本体３ａに設けられたスイッチ３３のＯＮ操作によって発光するようになっている。
【００２２】
ここで、発光ダイオード３１は、豆電球に比べて省電力で軽量且つコンパクトで、しかも熱が発生しなく、半永久的に使用できるという数々の利点がある。
【００２３】
このようにライト装置３を装置本体１ａに設けたことで、犬などペットの夜の散歩時においてこのライト装置３によって夜道を照らすことで犬などを散歩させる者が安全に歩行できるとともに、糞の場所を照らしたりすることで暗闇でも糞処理を円滑に行うことができる。
【００２４】
また、ライト装置３の光によって暗闇でも他人に存在を認識させることができ、安全性を高めることができる。
【００２５】
しかも、このライト装置３を装置本体１ａに着脱自在に設けたことにより、装置本体１ａからライト装置３を分離することで犬などペットの夜の散歩時において犬などの他にその状況に応じて必要な部分を単独で照らすことができて使い勝手がよい。
【００２６】
さらに、装置本体１ａもしくはライト装置３のいずれかが破損した場合や、両者のいずれかを改良等した場合に、いずれか一方を取り替えればよく汎用性を高めることができる。また、装置本体１ａが破損した場合にはライト装置３自体を単独で使用することもできる。
【００２７】
符号３３ｂはライト装置３の側面に形成した凹凸で、ライト装置３を把持し易くしている。この凹凸３３ｂがあることにより、ライト装置３を装置本体１ａに着脱し易く、またライト装置３を単体で把持し易い。
【００２８】
なお、上述した実施形態は、あくまでも本発明の好適な実施態様を示すものであって、本発明はこれに限定されることなく、その範囲内において種々設計変更可能である。
【００２９】
例えば、ライト装置３に設ける発光ダイオード３１の数は１個に限らず、複数個を適宜に配設してもよい。
【図面の簡単な説明】
【００３０】
【図１】本発明のペットの引き紐装置を示す斜視図である。
【図２】同じくペットの引き紐装置のライト装置を分離した状態を示す斜視図である。
【図３】紐部材を示す部分拡大図である。
【符号の説明】
【００３１】
１  引き紐装置
１ａ  装置本体
２  紐体
２１  反射部材
３  ライト装置
３１  発光ダイオード
６  ストラップ
【図１】
2007151487.tif 000003
【図２】
2007151487.tif 000004
【図３】
2007151487.tif 000005